(57)【要約】  【課題】  羽毛の膨張による就寝者に対する密着性の低下を可及的に防ぎ、斬新な構造の羽毛布団を提供する。  【解決手段】  表地１と裏地２をまちテープ３を介して縫い合わせて多数の区画室４，…を升目状に並べて設け、該区画室４に羽毛５を充填すると共に、各区画室を構成する前記裏地２の構成部片２Ａ，２Ｂ，２Ｃを、その中央を尖端として裏地２表面方向に突出する四角錐状にする。【選択図】    図３
2010200938.tif 000002
【特許請求の範囲】
【請求項１】
表地と裏地をまちテープを介して縫い合わせて多数の区画室を升目状に並べて設け、該区画室に羽毛を充填すると共に、各区画室を構成する前記裏地の構成部片を、その中央を尖端として裏地表面方向に突出する四角錐状にした、羽毛布団。
【発明の詳細な説明】
【技術分野】
【０００１】
本発明は、表地と裏地との間に升目状に並べて区画室を設け、該区画室内に、羽毛（ダウンボール）を充填して構成した羽毛布団に関するものである。
【背景技術】
【０００２】
羽毛布団は、具体例を挙げるまでもなく、表地と裏地を、縦、横に配したまちテープを介して縫合して区画室を升目状に並べて設け、各区画室内に羽毛を各区画室間に平均して充填し、表裏両面を平坦状にしているのが一般である。
【０００３】
羽毛は、就寝中の発熱、発汗による熱や水分によって膨張し、その結果、布団の裏面側が丸く膨らみ、就寝者との間に、隙間が生じ、布団外から寒気が流入し、布団本来の機能が低減する。
【０００４】
このため、羽毛布団上に更に上掛けを重ね合わせ、その重量によって、前記の膨張によって生じる隙間の発生を防ぐようにしているが、上掛け自体、当該布団と別体であるため、使用上良好とはいえず、また、期待した効果を常時を得られるとは限らない。
【０００５】
上掛けを省略して、羽毛の膨張による密着性の低減を防ぐものとして、表地の巾寸法や丈寸法を、裏地の巾寸法や丈寸法より大きくして、使用時に表地側で裏地側を被うようにして、布団（裏地）が体にできるだけ密着させるようにした構造のものが提案されている（例えば、特許文献１、２）。
【先行技術文献】
【特許文献】
【０００６】
【特許文献１】特公平２−６０３２１号公報
【特許文献２】登録第３０１７９３８号実用新案公報
【発明の概要】
【発明が解決しようとする課題】
【０００７】
前記従来構造のものは、裏地に対して表地を幅広くすることにより、使用時において、裏地側を表地側で被う、すなわち、就寝者の両側を包むようにすることにより、高い密着性や隙間の発生を低減しようとするものではあるが、発熱や発汗による羽毛の膨張によって裏地側が丸く膨らみ、高い密着性や隙間の発生の低減を期待する程には必ずしも得られていない。
【０００８】
本発明は、羽毛の膨張による密着性の低下を可及的に防ぎ、斬新な構造の羽毛布団を提供すべく創案したものである。
【課題を解決するための手段】
【０００９】
表地と裏地を、まちテープを介して縫い合わせて多数の区画室を升目状に並べて設け、該区画室に羽毛を充填すると共に、各区画室を構成する前記裏地の構成部片を、その中央を尖端として裏地表面方向に突出する四角錐状にした構成するものである。
【発明の効果】
【００１０】
本発明によれば、羽毛を充填した各区画室の構成部片が四角錐状にして突出するものであるから、就寝者に潰れ状にして接触するから、保温効果を期待できると共に、適度な隙間の発生により発汗、発熱で生じ勝ちなむれを該隙間間の空気の対流により防止でき、また、就寝者と重ならない左、右両側部および足下部にあっては、該四角錐状の傾斜面が互いに接触して布団外との関係で生じ勝ちな隙間の発生を防ぎ、総じて良好な就寝環境を得ることができるものである。
【図面の簡単な説明】
【００１１】
【図１】本発明に係る羽毛布団の裏面の模式図。
【図２】図１の平面図。
【図３】図２の一部拡大断面図。
【図４】裏地を模式的に示した斜視図。
【図５】使用状態の断面図。
【図６】裏地の第一構成片の平面図。
【図７】裏地の第二構成片の平面図。
【図８】裏地の第三構成片の平面図。
【図９】裏地の隅角部の構造説明図。
【図１０】裏地の端縁部の構造説明図。
【図１１】裏地の面内部の構造説明図。
【実施例】
【００１２】
図面は、本発明に係る羽毛布団の一実施例を示し、実施例の羽毛布団Ａは、表地１と裏地２を周端においては互いに直接的に、前記周端で取り囲む面内部においてはまちテープ３を介してそれぞれ縫い合わせて、多数の区画室４，…を升目状に並べて設け、各区画室４，…に羽毛（ダウンボール）５を、各区画室４間でほぼ均一に充填して構成したものである。
【００１３】
各区画室４は、シート状の前記表地１の一部で構成する平坦状の表壁４ａと、ダブつき部を升目状に並べて備えたシート状の前記裏地２のダブつき部で構成する裏壁４ｂの各四周を前記まちテープ３を介して縫い合わせ（図示ｎで示す）、又は、一部をまちテープ３を介し、他の一部（布団周端においては）を直接的に縫い合わせ（図示ｎ´で示す）、前記羽毛５の充填によって裏壁４ｂのダブつき形状を、その中央を尖端として、該尖端ｐが裏地２表面より最も突出する四角錐形状としたもので、羽毛布団Ａは、裏地２側にこの四角錐形状が升目状に並べて配せられているから、ほぼ、平坦状の表地１側に対してダブつき、就寝時における表地１側の変形とは無関係に就寝者に対する充分な接触状態を得ることができる。
【００１４】
また、裏地２は、正方形の四辺部を鈍角等辺三角形状に凹ませて入隅部２Ａ´と成し、該入隅部２Ａ´間の出隅部２Ａ´´を等辺三角形状にして、４個の入隅部２Ａ´，２Ａ´，２Ａ´，２Ａ´と４個の出隅部２Ａ´´，２Ａ´´，２Ａ´´，２Ａ´´が交互に規則的に配せられた、八角形状の第一構成片２Ａ（図６）と、該第一構成片２Ａを前記入隅部２Ａ´，２Ａ´を結ぶ線を中心として等分にした五角形状の第二構成片２Ｂ（図７）および該第二構成片２Ｂを等分にした四角形状の第二構成片２Ｃ（図８）を適宜組合わせて互いに縫合して構成したものである。
【００１５】
そして、前記区画室４の四角錐形状を成す裏壁４ｂは、方形状の裏地２の隅角部のものにあっては、図９で示す通り、第一構成片２Ａの入隅部２Ａ´を構成する鈍角状の端縁２ａと、該端縁２ａに隣接する他の鈍角状の端縁２ａ´のそれぞれに、第二構成片２Ｂの入隅部２Ｂ´を構成する前記端縁２ａ，２ａ´と同形な端縁２ｂを縫合して第二構成片２Ｂ，２Ｂを接続し、該第二構成片２Ｂ，２Ｂと第二構成片２Ｂ，２Ｂ間に配した第三構成片２ｃとを、第二構成片２Ｂ，２Ｂ側は前記端縁２ｂの一半と一方の出隅部２Ｂ´を構成する一端縁２ｂ´において、第三構成片２Ｃ側は出隅部２Ｂ´と同形な鋭角三角形を成す一方の端縁２ｃ又は２ｃ´においてそれぞれ縫い合わせて第二構成片２Ｂ，２Ｂ間に第三構成片２Ｃを介在させて構成した態様を採り、該隅角部の裏壁４ｂを構成するこれら各一組の第一、第三の構成片２Ａ，２Ｃと一対の第二構成片２Ｂ交点部（符号ｐ´で示す）が四角錐状裏壁４ｂの尖端（頂点）ｐを構成する。
【００１６】
また、区画室４の四角錐形を成す裏壁４ｂの、方形状の裏地２の端縁部のものにあっては、図１０で示す通り、一対の第一構成片２Ａ，２Ａを入隅２Ａ´を構成する鈍角状の端縁２ａ，２ａ同士で互いに縫い合わせ、該端縁２ａ，２ａに隣接する他の鈍角状の端縁２ａ´，２ａ´のそれぞれに端縁２ｂにおいて第二構成片２Ｂ，２Ｂを縫い合わせ、第二構成片２Ｂ，２Ｂ同士は前記端縁２ｂと隣接して一方の出隅部２Ｂ´を構成する端縁２ｂ´，２ｂ´同士を縫い合わせた構成を採り、該端縁部の区画室４の裏壁４ｂを構成するこれら各一対の第一構成片２Ａ，２Ａ、第二構成片２Ｂ，２Ｂの交点部ｐ´を四角錐状裏壁４ｂの尖端（頂点）ｐとして構成させる。
【００１７】
さらに、これら隅角部と端縁部とで取り囲まれる裏地２の面内部の区画室４の裏壁４ｂは、図１１で示す通り、４枚の第一構成片２Ａ，２Ａ，２Ａ，２Ａ同士を田の字状に並べて隣接する端縁２ａ，２ａ（入隅部２Ａ´を成す）同士を互いに縫い合わせた構成を採用し、各第一構成片２Ａ，２Ａ，２Ａ，２Ａの交点部ｐ´を四角錐状裏壁４ｂの尖端（頂点）ｐとして構成させる。
【００１８】
なお、第一、第二および第三の各構成片２Ａ，２Ｂ，２Ｃを組合わせて裏地２を形成する工程は自在に選択され、例えば、図１の上、下の両端部には第三構成片２Ｃ，２Ｃ間に５枚の第二構成片２Ｂ，２Ｂ，２Ｂ，２Ｂが配置され、該端部に隣接する位置には第二構成片２Ｂ，２Ｂ間に５枚の第一構成片２Ａ，２Ａ，２Ａ，２Ａ，２Ａが配置されているが、両端部側の一対の第三構成片２Ｃ，２Ｃと５枚の第二構成片２Ｂ，２Ｂ，２Ｂ，２Ｂ，２Ｂを前記のように縫い合わせて第一連結帯状体を、また、該端部の隣接部側の一対の第二構成片２Ｂ，２Ｂと５枚の第一構成片２Ａ，２Ａ，２Ａ，２Ａ，２Ａを前記のように縫い合わせて第二連結帯状体をそれぞれ形成し、一対の第一連結帯状体と７枚の第二連結帯状体を、第１図で示す配列順序になるように縫い合わせることにより得ることができ、いずれにしても第一乃至第三構成片２Ａ，２Ｂ，２Ｃのいずれかのもの同士の縫合となり、各構成片２Ａ，２Ｂ，２Ｃの組合わせ順は適宜選択すれば良い（第一構成片２Ａ，２Ａ同士の場合は図１１で示すように、第一構成片２Ａと第二構成片２Ｂの場合は図９や図１０で示すように、第二構成片２Ｂ同士の場合は図１０で示すように、第三構成片２Ｃと第二構成片２Ｂ乃至第一構成片２Ａの場合は図９でそれぞれ示すように縫合すれば良い）。
【００１９】
そして、実施例は、この裏地２を、前記の通り、まちテープ３を介して表地１と縫合して、区画室４，…を升目状に並べて設け、各区画室４，…に常法に従って、羽毛５，…を充填して布団Ａとするのである。
【００２０】
なお、ｎ´´は第一、第二および第三の各構成片２Ａ，２Ｂ，２Ｃを互いに縫い合わせた縫合部を示す。
【符号の説明】
【００２１】
１      表地
２      裏地
３      まちテープ
４      区画室
５      羽毛
【図１】
2010200938.tif 000003
【図２】
2010200938.tif 000004
【図３】
2010200938.tif 000005
【図４】
2010200938.tif 000006
【図５】
2010200938.tif 000007
【図６】
2010200938.tif 000008
【図７】
2010200938.tif 000009
【図８】
2010200938.tif 000010
【図９】
2010200938.tif 000011
【図１０】
2010200938.tif 000012
【図１１】
2010200938.tif 000013